(57)【要約】      （修正有）【課題】手に提げて持ち運ぶことが可能であり、少人数で作業ができ、取扱いが容易で軽便な橋梁点検装置を提供する。【解決手段】橋梁点検装置Ａが、長さが伸縮自在に調節可能な垂直ロッド１０と、垂直ロッド１０の下端に連結され、垂直ロッド１０の下端を軸として垂直方向から水平方向に達するまで傾倒可能な水平ロッド２０と、垂直ロッド１０に取り付けた作業者装着用の橋梁点検装置保持ベルト３２と、垂直ロッド１０に取り付けた欄干装着用の橋梁点検装置移動止めベルト３３と、水平ロッド２０の先端部に取り付けた撮影機能を有する点検手段４０と、点検手段４０と電気ケーブル４１にて接続した電源ボックス４５及びコントローラ４２とを備えた。【選択図】図１
0003212546.tif 000002
【実用新案登録請求の範囲】
【請求項１】
長さが伸縮自在に調節可能な垂直ロッドと、
前記垂直ロッドの下端に連結され、垂直ロッド下端を軸として垂直方向から水平方向に達するまで傾倒可能な水平ロッドと、
前記垂直ロッドに取り付けた作業者装着用の橋梁点検装置保持ベルトと、
前記垂直ロッドに取り付けた欄干装着用の橋梁点検装置移動止めベルトと、
前記水平ロッドの先端部に取り付けた撮影機能を有する点検手段と、
前記点検手段と電気ケーブルにて接続した電源ボックス及びコントローラとを備えた
ことを特徴とする橋梁点検装置。
【請求項２】
前記水平ロッドの水平方向を保持する傾倒角保持ロープを垂直ロッドと水平ロッドとに掛け渡してなる
ことを特徴とする請求項１に記載の橋梁点検装置。
【請求項３】
前記垂直ロッドの上端に、垂直ロッドをその長さ方向を中心軸として回転させることができる操作部を備え、
前記操作部を操作することにより、水平ロッドが垂直ロッドを中心軸として回転する
ことを特徴とする請求項１又は２に記載の橋梁点検装置。
【請求項４】
前記電気ケーブルが、水平ロッドから垂直ロッドの下部を経由して垂直ロッドの上部へ添設されている
ことを特徴とする請求項１〜３のいずれか１項に記載の橋梁点検装置。
【請求項５】
前記電気ケーブルに接続されている電源ボックスに首掛けベルトを設けた
ことを特徴とする請求項１〜４のいずれか１項に記載の橋梁点検装置。
【請求項６】
前記垂直ロッドの長さが２〜４ｍの範囲で伸縮可能であり、水平ロッドの長さは垂直ロッドを最短に縮めた際の長さとほぼ同じである
ことを特徴とする請求項１〜５のいずれか１項に記載の橋梁点検装置。
【考案の詳細な説明】
【技術分野】
【０００１】
本考案は、橋梁の裏側に配置されている配管等の状況を点検する橋梁点検装置に関し、特に橋上からは直接目視して点検することが困難な箇所をビデオカメラ等の撮影装置により撮影して点検する橋梁点検装置に関する。
【背景技術】
【０００２】
従来より、橋梁の裏側を点検する装置として、下記特許文献１〜４に記載の発明がなされている。特許文献１に記載の橋梁点検装置は、橋上を移動可能な台車に支持されて先端部が橋の側方外部にオーバーハングして張り出される基部アームと、前記基部アームの先端部に取り付けられ昇降可能かつ垂直軸線まわりに回動可能に垂直ロッドを保持するロッドホルダーと、前記垂直ロッドの下端部に中間部が固定されて水平方向に延在する水平アームと、前記水平アーム上の一方の側に取り付けられたカメラと、他方の側に取り付けられたバランスウエイトと、前記水平アームを昇降させる昇降装置と、前記カメラの撮影画像を表示する表示装置から構成されるものである。特許文献２〜４に記載の橋梁点検装置も、台車で橋上を移動する構造のものである。
【先行技術文献】
【特許文献】
【０００３】
【特許文献１】特開２０１０−２０９６６６号公報
【特許文献２】特開２０１５−２２１９９６号公報
【特許文献３】実用新案登録第３２０２２３３号公報
【特許文献４】実用新案登録第３１９４４０１号公報
【考案の概要】
【考案が解決しようとする課題】
【０００４】
橋梁には、橋梁長さが短く橋梁幅も短い小規模の橋梁があり、むしろこの小規模の橋梁の方が多数構築されているのが現実であり、これらの小規模の橋梁についても、その裏側には種々の配管が配置されているので、このような小規模の橋梁に対しても点検を行う必要がある。
【０００５】
しかしながら、上記した台車に載せて歩道上を移動するような従来の点検装置を使用するまでもなく、手に提げて持ち運ぶことが可能であり、少人数で作業ができ、取扱いが容易で軽便な点検装置が求められていた。
【０００６】
そこで、本考案者は、主として垂直ロッドと水平ロッドと点検手段とからなり、水平ロッドは垂直ロッドに対して折り畳むことが可能であり、水平ロッドは長さが約２ｍ、垂直ロッドは２〜４ｍの範囲で伸縮可能な長さである簡易でかつ軽量であって作業性に優れた橋梁点検装置を案出した。
【課題を解決するための手段】
【０００７】
本考案に係る橋梁点検装置は、長さが伸縮自在に調節可能な垂直ロッドと、前記垂直ロッドの下端に連結され、垂直ロッド下端を軸として垂直方向から水平方向に達するまで傾倒可能な水平ロッドと、前記垂直ロッドに取り付けた作業者装着用の橋梁点検装置保持ベルトと、前記垂直ロッドに取り付けた欄干装着用の橋梁点検装置移動止めベルトと、前記水平ロッドの先端部に取り付けた撮影機能を有する点検手段と、前記点検手段と電気ケーブルにて接続した電源ボックス及びコントローラとを備えたことを特徴とする。
【０００８】
また、本考案に係る橋梁点検装置は、前記の構成に加えて、前記水平ロッドの水平方向を保持する傾倒角保持ロープを垂直ロッドと水平ロッドとに掛け渡してなる構成としてもよい。
【０００９】
さらに、本考案に係る橋梁点検装置は、前記の各構成に加えて、前記垂直ロッドの上端に、垂直ロッドをその長さ方向を中心軸として回転させることができる操作部を備え、前記操作部を操作することにより、水平ロッドが垂直ロッドを中心軸として回転する構成としてもよい。
【００１０】
さらにまた、本考案に係る橋梁点検装置は、前記の各構成に加えて、前記電気ケーブルが、水平ロッドから垂直ロッドの下部を経由して垂直ロッドの上部へ添設されている構成としてもよい。
【００１１】
また、本考案に係る橋梁点検装置は、前記の各構成に加えて、前記電気ケーブルに接続されている電源ボックスに首掛けベルトを設けた構成としてもよい。
【００１２】
さらに、本考案に係る橋梁点検装置は、前記の各構成に加えて、前記垂直ロッドの長さが２〜４ｍの範囲で伸縮可能であり、水平ロッドの長さは垂直ロッドを最短に縮めた際の長さとほぼ同じである構成としてもよい。
【考案の効果】
【００１３】
上記のように構成したことにより、本考案に係る橋梁点検装置は、手に提げて持ち運ぶことが可能であり、少人数で作業ができ、取扱いが容易で軽便な橋梁点検装置を提供することができる。
【図面の簡単な説明】
【００１４】
【図１】本考案の実施例に係る橋梁点検装置を示し、当該橋梁点検装置を最小限に縮めた状態を示す側面図である。
【図２】図１に示す橋梁点検装置から点検手段等の器具を取り外して折り畳んだ状態を示す側面図である。
【図３】本考案の実施例に係る橋梁点検装置を示し、当該橋梁点検装置を最大限に伸ばした状態を示す側面図である。
【図４】本考案の実施例に係る橋梁点検装置の一部省略拡大側面図である。
【図５】本考案の実施例に係る橋梁点検装置の使用状態を示す側面図である。
【実施例１】
【００１５】
図１〜図５は本実施例の橋梁点検装置を示し、図中のＡは橋梁点検装置であり、当該橋梁点検装置Ａは、主として垂直ロッド１０と水平ロッド２０と点検手段４０とで構成される。
【００１６】
垂直ロッド１０は、直径の異なる２本のカーボン樹脂製の中空パイプから構成され、上部に太パイプ１１を、下部に細パイプ１２を配置して２本継ぎの振り出し式に組み合わせたものである。すなわち、上部の太パイプ１１の下端に伸縮調整具１３が配置されており、当該伸縮調整具１３を締めることにより細パイプ１２が太パイプ１１に固定され、伸縮調整具１３を緩めることにより細パイプ１２が太パイプ１１から引き出し及び押し入れが自在となる。このように構成したことにより、垂直ロッド１０は伸縮自在となり、その伸縮長さは伸縮調整具１３により固定することにより決定される。図１は、垂直ロッド１０を最短に縮めた状態を示し、図３は、垂直ロッド１０を最長に伸ばした状態を示す。
【００１７】
水平ロッド２０は、１本のカーボン樹脂製の中空パイプよりなり、前記垂直ロッド１０の下端、すなわち細パイプ１２の下端に配置されたヒンジ具１４により連結されている。そして、水平ロッド２０は、垂直ロッド１０の下端を軸として、すなわちヒンジ具１４のピン１４ａを軸として垂直方向から水平方向に達するまで傾倒することが可能に構成されている。図１は、水平ロッド２０を水平にした状態であり、図２は、水平ロッド２０を垂直にした状態である。なお、図２に示すように水平ロッド２０を垂直ロッド１０に束ねた状態にする場合は、後述する使用例において説明するように、主として作業開始前及び作業完了後の持ち運びするときであって、点検手段４０等の器具を取り外した状態である。
【００１８】
また、水平ロッド２０には、水平ロッド２０が水平位置より下傾しないように傾倒角保持ロープ１５が配されており、当該傾倒角保持ロープ１５は、その一端が垂直ロッド１０の下部に取り付けた移動可能な取付具１６に取り付けられ、他端は水平ロッド２０の先端部に取り付けた移動可能な取付具２６に取り付けられていて、当該傾倒角保持ロープ１５は、垂直ロッド１０と水平ロッド２０とを掛け渡すように配されている。なお、水平ロッド２０が点検手段４０を含めたその自重により、点検手段４０が取り付けられている先端部がしなってしまうような場合には、取付具１６，２６を移動させて調節する。
【００１９】
また、垂直ロッド１０の上端には水平ロッド２０の操作部となる操作杆１７が取り付けられており、当該操作杆１７を垂直ロッド１０を軸として回転させると、水平ロッド２０が垂直ロッド１０を中心軸として回転することになる。
【００２０】
前記の水平ロッド２０の長さは約２ｍであって、垂直ロッド１０を最短に縮めた状態の長さとほぼ等しく構成されており、垂直ロッド１０を最長に伸ばした状態では、約４ｍの長さとなる。水平ロッド２０の長さ及び垂直ロッド１０を最短に縮めた状態の長さは、図２に示すように、折り畳んだ状態で容易に持ち運びすることを可能にする。
【００２１】
なお、垂直ロッド１０は、本実施例のように２本継ぎに限られるものではなく、３本継ぎ以上にしてもよい。また、水平ロッド２０も１本のパイプからではなく、垂直ロッドのように２本継ぎ以上の振り出し式にしてもよい。
【００２２】
次に垂直ロッド１０及び水平ロッド２０に取り付けられている器具について詳述する。
【００２３】
垂直ロッド１０には、移動及び固定が可能な２つの保護カラー３０が取り付けられている。この保護カラー３０をそれぞれ垂直ロッド１０の適宜の位置に移動して固定することにより、垂直ロッド１０に他物が接触したり衝突することに起因して垂直ロッド１０に傷が生じたり破損するのを防止する。
【００２４】
また、垂直ロッド１０には、移動及び固定が可能な環付き支持カラー３１が取り付けられている。当該環付き支持カラー３１には、作業者装着用の橋梁点検装置保持ベルト３２と欄干装着用の橋梁点検装置移動止めベルト３３とが着脱可能に取り付けられている。橋梁点検装置保持ベルト３２は、その自由端側にフック３２ａが取り付けられており、フック３２ａを橋梁点検装置保持ベルト３２の固定端側に引っ掛けることにより、図４に示すように、輪状にすることができる。また、橋梁点検装置移動止めベルト３３は、その自由端側にフック３３ａが取り付けられており、フック３３ａを橋梁点検装置移動止めベルト３３の固定端側に引っ掛けることにより、図４に示すように、輪状にすることができる。
【００２５】
そして、当該橋梁点検装置保持ベルト３２は、図５に示すように、これを作業者の腰ベルトに取り付けて橋梁点検装置Ａを保持するために使用する。また、橋梁点検装置移動止めベルト３３は、図５に示すように、これを欄干Ｃに取り付けて橋梁点検装置Ａが移動しないようにするために使用する。したがって、当該環付き支持カラー３１が不用意に移動すると点検作業に支障を来すおそれがあるため、当該環付き支持カラー３１は、これが固定されているときに不用意に移動しないように、環付き支持カラー３１の上下に固定用カラー３４，３５が取り付けられている。
【００２６】
なお、上記の橋梁点検装置保持ベルト３２は、上記構成のものに限られるものではなく、作業者に装着できる構造のものであればよい。また、上記の橋梁点検装置移動止めベルト３３は、上記構成のものに限られるものではなく、橋梁の欄干に装着できる構造のものであればよい。
【００２７】
水平ロッド２０には、その先端部に撮影機能を有する点検手段４０が着脱可能に取り付けられている。当該点検手段４０は電気ケーブル４１を介して作業者が操作するコントローラ４２に接続されている。具体的には、前記点検手段４０に着脱可能に接続されている電気ケーブル４１は、垂直ロッド１０の下部に取り付けられている中継環４３を経由し、中継環４３を経由した電気ケーブル４１は、垂直ロッド１０の上部の中継環４４を経由し、経由した電気ケーブル４１の先端部には、電源ボックス４５とコントローラ４２とが接続されている。このように構成することにより、電気ケーブル４１は、水平ロッド２０の先端部に取り付けた点検手段４０から発して、水平ロッド２０に添設されると共に垂直ロッド１０の下部を経由して垂直ロッド１０の上部に渡って添設されることになる。また、電源ボックス４５にはフック４６ａ付きの首掛けベルト４６が取り付けられていて、この首掛けベルト４６を作業者の首に掛けることにより、作業者が電源ボックス４５の荷重を支承することができ、かつ、作業者の両手がフリーになる。なお、首掛けベルト４６は上記の構成に限られるものではなく、作業者の首に装着できるものであればよい。
【００２８】
次に図１〜図５に基づいて橋梁点検装置Ａの使用例を説明する。
【００２９】
作業開始前の状態においては、図２に示すように、垂直ロッド１０と水平ロッド２０とが束ねられた状態にあり、この状態においては、水平ロッド２０には点検手段４０は取り外されており、電気ケーブル４１は、点検手段４０から取り外され、かつ、コントローラ４２、電源ボックス４５及び首掛けベルト４６を含めて水平ロッド２０及び垂直ロッド１０から取り外されている。また、橋梁点検装置保持ベルト３２及び橋梁点検装置移動止めベルト３３も取り外されていて垂直ロッド１０と水平ロッド２０とがコンパクトな状態で持ち運びができるようになっており、取り外した前記の各器具はバッグ等に収納して持ち運びができるようにしておく。
【００３０】
そして、点検すべき橋梁Ｂの作業現場に到着したときに、前記の図２の状態から、前述の取り外した器具を水平ロッド２０及び垂直ロッド１０に取り付けて図１に示す状態にし、この状態において、まず、作業者の腰バンドに橋梁点検装置保持ベルト３２を取り付け、その後、垂直ロッド１０及び水平ロッド２０を橋梁Ｂの欄干Ｃを乗り越えて外側に移動させ、橋梁点検装置移動止めベルト３３を欄干Ｃに取り付けて垂直ロッド１０及び水平ロッド２０を安定させる。この状態においては、水平ロッド２０は、橋梁Ｂの外側に位置しており、橋梁Ｂの裏側に位置していない。
【００３１】
その後、垂直ロッド１０を適宜の長さに伸ばした後、操作杆１７により垂直ロッド１０を回転させて、図５に示すように、水平ロッド２０を橋梁Ｂの裏側に移動させる。そして、作業者は首掛けベルト４６を首に装着し、コントローラ４２を操作して点検手段４０により、橋梁Ｂの裏側を撮影する。
【００３２】
以上のように、本実施例に係る橋梁点検装置Ａは、手に提げて持ち運びすることが可能であり、少人数で作業ができ、取扱いが容易で軽便な橋梁点検装置である。したがって、多数構築されている橋梁長さが短く橋梁幅も短い小規模の橋梁に対して、簡単に点検作業が行えるので、点検作業が促進されて点検達成率が早期に向上する効果がある。
【００３３】
以上、本考案の実施形態を説明したが、この実施形態は、例として提示したものであり、考案の範囲を限定することは意図していない。この実施形態は、その他の様々な形態で実施されることが可能であり、考案の要旨を逸脱しない範囲で、種々の省略、置き換え、変更を行うことができる。この実施形態やその変形は、考案の範囲や要旨に含まれると同様に、実用新案登録請求の範囲に記載された考案とその均等の範囲に含まれるものである。
【符号の説明】
【００３４】
Ａ………橋梁点検装置
Ｂ………橋梁
Ｃ………欄干
１０……垂直ロッド
１１……太パイプ
１２……細パイプ
１３……伸縮調整具
１４……ヒンジ具
１４ａ…ヒンジ具のピン
１５……傾倒角保持ロープ
１６……取付具
１７……操作杆
２０……水平ロッド
２６……取付具
３０……保護カラー
３１……環付き支持カラー
３２……橋梁点検装置保持ベルト
３２ａ…フック
３３……橋梁点検装置移動止めベルト
３３ａ…フック
３４……固定用カラー
３５……固定用カラー
４０……点検手段
４１……電気ケーブル
４２……コントローラ
４３……中継環
４４……中継環
４５……電源ボックス
４６……首掛けベルト
４６ａ…フック
【図１】
0003212546.tif 000003
【図２】
0003212546.tif 000004
【図３】
0003212546.tif 000005
【図４】
0003212546.tif 000006
【図５】
0003212546.tif 000007